(57)【要約】【課題】ステップのライザ面を清掃するものにあって、運搬及び組立を容易に行なうことができるエスカレータのステップ清掃装置の提供。【解決手段】それぞれ上端部及び下端部を水平に折り曲げられ、これらの上端部と下端部の間は垂直部を形成し、互いにずらして固定され、側面視が平行四辺形に形成される一対の板体１４と、これらの板体１４を着脱可能に支持し、一対の板体１４の幅方向に延設され、両端部のそれぞれが欄干６に押圧固定される一対の伸縮可能なポール２６とを備え、清掃されるステップ３のライザ面２に対向する側に位置する板体１４の下端部に、ライザ面２の溝部に適合する溝形状部１０を形成し、一対のポール２６を、ステップ３の踏面１と平行となるように配置するとともに、ライザ面２の清掃時の一対の板体１４の浮き上がりを規制する浮き上がり規制部を備えた構成にしてある。【選択図】図３
2011088726.tif 000002
【特許請求の範囲】
【請求項１】
水平方向に延設される踏面、及び上下方向に延設されるライザ面を有するステップと、このステップの両側部に設けられるスカートガードと、これらのスカートガードの上方にそれぞれ立設される欄干とを備えたエスカレータに取り付けられ、上記ステップの上記ライザ面を清掃するエスカレータのステップ清掃装置において、
それぞれ上端部及び下端部を水平に折り曲げられ、これらの上端部と下端部の間は垂直部を形成し、互いにずらして固定され、側面視が平行四辺形に形成される一対の板体と、
これらの板体を着脱可能に支持し、上記一対の板体の幅方向に延設され、両端部のそれぞれが対向する上記欄干に押圧固定される一対の伸縮可能なポールとを備え、
上記一対の板体のうちの清掃される上記ステップの上記ライザ面に対向する側に位置する上記板体の下端部に、上記ライザ面の溝部に適合する溝形状部を形成し、
上記一対のポールを、上記ステップの上記踏面と平行となるように配置するとともに、
上記ライザ面の清掃時における上記一対の板体の浮き上がりを規制する浮き上がり規制部を備えたことを特徴とするエスカレータのステップ清掃装置。
【請求項２】
請求項１に記載のエスカレータのステップ清掃装置において、
上記浮き上がり規制部が、上記板体に切り込み部を形成した後、折れ曲がり部で折り曲げ形成され、側面視がロの字状の上記板体の部分から成り、
この浮き上がり規制部の形成によって設けられた上記板体の貫通部のそれぞれに上記ポールを挿入させてこれらのポールによって上記一対の板体を支持させ、
上記ポールは、径の大きい筒体と、この筒体内に摺動可能に収容される径の小さい筒体と、全体を伸長させるように付勢するコイルばねと、上記径の大きい筒体の端部に設けられ、対応する上記欄干に当接する滑り止めと、上記径の小さい筒体の端部に設けられ、対応する上記欄干に当接する滑り止めとを備え、
上記径の小さい筒体の内部に、上記コイルばねと係合する突起を設けたことを特徴とするエスカレータのステップ清掃装置。
【請求項３】
請求項１に記載のエスカレータのステップ清掃装置において、
上記欄干に当接するように配置され、上記ポールを位置決めする位置決めプレートと、この位置決めプレートを上記欄干に固定する固定手段とを備え、
上記位置決めプレートは、上記ステップの踏面に平行に配置され上記ポールのそれぞれ端部が挿入されて、これらのポールを位置決めする複数の穴を有することを特徴とするエスカレータのステップ清掃装置。
【請求項４】
請求項１に記載のエスカレータのステップ清掃装置において、
上記一対の板体のうちの清掃される上記ステップの上記ライザ面から離れる側に位置する板体の上端部に、上記溝形状部とは異なる形状の溝形状部を設けたことを特徴とするエスカレータのステップ清掃装置。
【発明の詳細な説明】
【技術分野】
【０００１】
本発明は、踏面とライザ面を有するステップを備えたエスカレータに取り付けられ、ステップのライザ面を清掃するエスカレータのステップ清掃装置に関する。
【背景技術】
【０００２】
エスカレータは、駅、空港、百貨店などの人の通行の多い場所に設置されることが多く、一般に稼働時間が長くて不稼働時間が短いのが普通である。エスカレータのステップの清掃は、エスカレータの稼動の邪魔にならないように不稼働時間に、すなわち短時間のうちに確実に行なうことが求められている。
【０００３】
ところが、エスカレータのステップは、乗降口のくし歯と噛み合うために前後方向に伸びる溝が多数形成された踏面と、隣接のステップの端部と噛み合うために上下方向に伸びる溝が多数形成されたライザ面とを備えているので、その踏面及びライザ面の溝内の汚れを取り除くのは困難であって、このステップの清掃作業に多大な時間を費やさざるを得なかった。
【０００４】
そこで、エスカレータの躯体に固定して成る取付部材に支持アームを回動可能に設け、この支持アームに、ステップに当接しライザ面の形状に追従可能な清掃具を固定し、その清掃具を、走行するステップのライザ面に対して摺動させることにより、ライザ面の清掃を短時間で行なうようにしたエスカレータのステップ清掃装置が提案されている（特許文献１参照。）。
【０００５】
また別の発明として、上述した清掃具支持アームに、清掃具とライザ面との接触角度を一定にするリンクを追加して設け、清掃効果を高めたステップ清掃装置が提案されている。（特許文献２参照）。
【先行技術文献】
【特許文献】
【０００６】
【特許文献１】特開平１０−４５３７０号公報
【特許文献２】特開２００７−３１４２９７号公報
【発明の概要】
【発明が解決しようとする課題】
【０００７】
ところで上述したように、エスカレータは、駅や空港等のように人が多数乗降し、運転時間が長い場所に設置される場合が多く、上述した従来の清掃装置は形状寸法及び重量が大きいことから、運搬時に乗客やエスカレータが設置されている躯体を汚損させてしまう虞があった。このために、清掃装置を分解して現地に搬入することも行なわれている。しかしながら、従来の清掃装置は、構造が複雑で組立に多くの時間を費やさなければならず、現地での限られた不稼働時間内における清掃装置の組み立てを含む清掃作業の実施は困難であった。
【０００８】
また、上述した従来の清掃装置は重量が大きいことから、エスカレータに強固に取り付ける必要がある。そのため、エスカレータの内デッキ凸部を利用し、押し付け圧力を増大させて取り付けていた。しかし、この内デッキ凸部は、エスカレータの機種によって異なり、機種によっては最適な場所に設置することができず、これにより清掃性能の低下を招いていた。
【０００９】
なお、上述した従来の清掃装置は、ステップのライザ面の清掃後、清掃装置自体の清掃に時間を費やす必要があるため、さらに清掃作業時間が限られてしまう問題もあった。
【００１０】
本発明は、上述した従来技術における実状からなされたもので、その目的は、ステップのライザ面を清掃するものにあって、運搬及び組立を容易に行なうことができるエスカレータのステップ清掃装置を提供することにある。
【課題を解決するための手段】
【００１１】
上記目的を達成するために、本発明に係るエスカレータのステップ清掃装置は、水平方向に延設される踏面、及び上下方向に延設されるライザ面を有するステップと、このステップの両側部に設けられるスカートガードと、これらのスカートガードの上方にそれぞれ立設される欄干とを備えたエスカレータに取り付けられ、上記ステップの上記ライザ面を清掃するエスカレータのステップ清掃装置において、それぞれ上端部及び下端部を水平に折り曲げられ、これらの上端部と下端部の間は垂直部を形成し、互いにずらして固定され、側面視が平行四辺形に形成される一対の板体と、これらの板体を着脱可能に支持し、上記一対の板体の幅方向に延設され、両端部のそれぞれが対向する上記欄干に押圧固定される一対の伸縮可能なポールとを備え、上記一対の板体のうちの清掃される上記ステップの上記ライザ面に対向する側に位置する上記板体の下端部に、上記ライザ面の溝部に適合する溝形状部を形成し、上記一対のポールを、上記ステップの上記踏面と平行となるように配置するとともに、上記ライザ面の清掃時における上記一対の板体の浮き上がりを規制する浮き上がり規制部を備えたことを特徴としている。
【００１２】
このように構成した本発明は、一対のポールを一対の板体から離脱させた状態で、これらの一対の板体と一対のポールを清掃作業が行なわれる現地まで運搬することができ、運搬を容易に行なうことができる。また現地では、一対のポールを一対の板体に装着して、これらの一対の板体を支持させることにより容易に組立てることができる。また、一対の板体の側面視を平行四辺形に形成してあることと、ライザ面の清掃時の一対の板体の浮き上がりを規制する浮き上がり規制部を備えていることから、ライザ面に対する板体の溝形状部の接触角を一定に保つことができる。また、一対の板体の重量を比較的軽い重量とすることができるので、一対の板体を支持するポールの負荷を軽減できる。これにより、一対のポールのそれぞれをエスカレータの機種の違いに拘わらず、欄干に確実に固定することができる。
【００１３】
また、本発明に係るエスカレータのステップ清掃装置は、上記発明において、上記浮き上がり規制部が、上記板体に切り込み部を形成した後、折れ曲がり部で折り曲げ形成され、側面視がロの字状の上記板体の部分から成り、この浮き上がり規制部の形成によって設けられた上記板体の貫通部のそれぞれに上記ポールを挿入させてこれらのポールによって上記一対の板体を支持させ、上記ポールは、径の大きい筒体と、この筒体内に摺動可能に収容される径の小さい筒体と、全体を伸長させるように付勢するコイルばねと、上記径の大きい筒体の端部に設けられ、対応する上記欄干に当接する滑り止めと、上記径の小さい筒体の端部に設けられ、対応する上記欄干に当接する滑り止めとを備え、上記径の小さい筒体の内部に、上記コイルばねと係合する突起を設けたことを特徴としている。
【００１４】
また、本発明に係るエスカレータのステップ清掃装置は、上記発明において、上記欄干に当接するように配置され、上記ポールを位置決めする位置決めプレートと、この位置決めプレートを上記欄干に固定する固定手段とを備え、上記位置決めプレートは、上記ステップの踏面に平行に配置され上記ポールのそれぞれ端部が挿入されて、これらのポールを位置決めする複数の穴を有することを特徴としている。
【００１５】
また、本発明に係るエスカレータのステップ清掃装置は、上記発明において、上記一対の板体のうちの清掃される上記ステップの上記ライザ面から離れる側に位置する板体の上端部に、上記溝形状部とは異なる形状の溝形状部を設けたことを特徴とするエスカレータのステップ清掃装置ことを特徴としている。
【発明の効果】
【００１６】
本発明は、ステップのライザ面を清掃する溝形状部を有する一対の板体と、これらの板体を着脱可能に支持する一対のポールと、ライザ面の清掃時に一対の板体の浮き上がりを規制する浮き上がり規制部とを備えたことから、一対のポールを一対の板体から離脱させた状態で、これらの一対の板体と一対のポールを清掃作業が行なわれる現地まで運搬することができ、運搬を容易に行なうことができる。また現地では、一対のポールを一対の板体に装着させてこれらの一対の板体を支持させることによって容易に組立てることができる。これにより、運搬時における周囲への汚損を防ぐことができるとともに、組立に要する時間を従来に比べて短くすることができ、エスカレータの不稼動時間が限られている場合でも、確実にステップのライザ面を清掃することができる。また、一対の板体の側面視を平行四辺形に形成してあることと、ライザ面の清掃時の一対の板体の浮き上がりを規制する浮き上がり規制部を備えていることとから、ステップの移動に伴って板体の溝形状部をステップの踏面に平行に移動させ、ライザ面に対する板体の溝形状部の接触角を一定に保つことができ、優れた清掃性能を確保することができる。これにより、ステップのライザ面の美観維持を容易に実現させることができる。
【００１７】
また、本発明は、一対の板体の重量を比較的軽い重量とすることができるので、一対の板体を支持するポールの負荷を軽減でき、一対のポールのそれぞれをエスカレータの機種の違いに拘わらず、欄干に確実に固定することができる。これによりエスカレータの機種の違いに影響を受けることなく、安定した清掃性能を確保することができる。
【図面の簡単な説明】
【００１８】
【図１】本発明に係る清掃装置の一実施形態が取り付けられるエスカレータの要部側面図である。
【図２】図１に示すエスカレータの正面図である。
【図３】本発明に係る清掃装置の一実施形態を示す斜視図である。
【図４】本実施形態に備えられる板体の展開図である。
【図５】本実施形態に備えられるポールの縦断面図である。
【図６】図１に示すエスカレータに本実施形態に係る清掃装置を取り付けた状態を示す要部側面図である。
【図７】本発明の別の実施形態を示す要部側面図である。
【図８】本発明のさらに別の実施形態を示す板体の要部平面図である。
【発明を実施するための形態】
【００１９】
以下、本発明に係るエスカレータのステップ清掃装置の実施の形態を図に基づいて説明する。
【００２０】
図１は本発明に係る清掃装置の一実施形態が取り付けられるエスカレータの要部側面図、図２は図１に示すエスカレータの正面図である。
【００２１】
本発明に係る清掃装置の一実施形態が取り付けられるエスカレータは、図１，２に示すように、水平方向に延設され、乗客を斜め上方もしくは下方へ運搬する踏面１と、上下方向に延設され、踏面１の端部に連設されるライザ面２とを有するステップ３を備えている。また、このステップ３の両側部に設けられるスカートガード４と、これらのスカートガード４の上方にそれぞれ配置された内デッキ５と、これらの内デッキ５の上方に立設される欄干６とを備えている。
【００２２】
図３は本発明に係る清掃装置の一実施形態を示す斜視図、図４は本実施形態に備えられる板体の展開図、図５は本実施形態に備えられるポールの縦断面図である。
【００２３】
本実施形態に係る清掃装置は、それぞれ上端部及び下端部を水平に折り曲げられ、これらの上端部と下端部の間は垂直部を形成し、互いにずらして固定され、側面視が平行四辺形に形成される一対の板体１４と、これらの板体１４を着脱可能に支持し、一対の板体１４の幅方向に延設され、両端部のそれぞれが対向する欄干６に押圧固定される一対の伸縮可能なポール２６とを備えている。また、一対の板体１４のうちの清掃されるステップ３のライザ面２に対向する側に位置する板体１４の下端部に、ライザ面２の溝部に適合する溝形状部１０を形成してある。また、一対のポール２６を、ステップ３の踏面１と平行となるように配置してある。さらに、一対の板体１４の溝形状部１０をステップ３のライザ面２に接触させて行なわれるライザ面２の清掃時における一対の板体１４の浮き上がりを規制する浮き上がり規制部を備えた構成にしてある。
【００２４】
一対の板体１４のそれぞれは、例えば軽量の段ボール紙から成り。同一形状寸法に形成され、展開図である図４に示すように、長手方向の一方の端部にライザ面２の溝形状に相応する溝形状部１０を有し、この溝形状部１０の端部側から所定の距離をおいて、平行に２段の折れ曲がり部１１を有している。また、これらの折れ曲がり部１１の両側のそれぞれに、折れ曲がり部１１と直交する方向に伸びる所定長さの切り込み部１２を形成してある。また、それぞれの切り込み部１２から外側に向かうように形成され、切り込み部１２と直交する方向に延設されるそれぞれ３つの折れ曲がり部１３を有している。これらの切り込み部１２及び折れ曲がり部１３によって形成される側面視がロの字状の板体１４の部分は、上述した一対の板体１４の浮き上がりを規制する浮き上がり規制部を構成している。この浮き上がり規制部の形成によって設けられた板体１４の貫通部３３のそれぞれにポール２６を挿入させ、これらのポール２６によって一対の板体１４を支持させてある。一対の板体１４は、それぞれの溝形状部１０が互いに反対方向となるように配置され、互いに距離Ｌ１だけずらした状態で、接着手段３２によって固定してある。
【００２５】
また、一対のポール２６は、図５に示すように、径の大きい筒体２０と、この筒体２０内に摺動可能に収容される径の小さい筒体２３と、全体を伸長させるように付勢するコイルばね２２と、径の大きい筒体２０の端部に設けられ、対応する欄干６に当接する滑り止め２５と、径の小さい筒体２３の端部に設けられ、対応する欄干６に当接する滑り止め２５とを備え、径の大きい筒体２０の端部付近には、滑り止め２５に覆われるように配置され、ばね受けを構成する閉塞部材２１を備えている。また、径の小さい筒体２３の内部の閉塞部材２１に対向する端部付近に、コイルばね２２と係合する突起２４を設けてある。径の小さい筒体２３を回転させることにより、コイルばね２２と突起２４との係合位置を変えることができるようになっている。
【００２６】
このように構成した本実施形態は、運搬時には例えば一対の板体１４から成る構造体から一対のポール２６が離脱された状態で、これらの一対の板体１４から成る構造体と、一対のポール２６とが現地まで運搬される。現地では、一対の板体１４のうちの上端部側のそれぞれの切り込み部１２近傍の例えば３つの折れ曲がり部１３のうちの中央に位置する折れ曲がり部１３のそれぞれを押圧して側面視ロの字状に形成し、これによって設けられた貫通部３３に一対のポール２６のそれぞれを挿入することにより組立が行なわれる。なお、図３に示すように、一対の板体１４のうちの下端部側のそれぞれの切り込み部１２近傍の折れ曲がり部１３は、押圧変形されることがなく、この部分は他の周辺部分と同様の平坦面に保たれる。
【００２７】
図６は、図１に示すエスカレータに本実施形態に係る清掃装置を取り付けた状態を示す要部側面図である。
【００２８】
この図６に示すように、ステップ３のライザ面２の清掃に際しては、板体１４の溝形状部１０をステップ３のライザ面２に対向させた状態で、上述のようにして組立てられたポール２６をコイルばね２２の力に抗して一旦収縮させて両欄干６間に配置した後、コイルばね２２の力によってポール２６を伸長させて、ポール２６の両端の滑り止め２５のそれぞれを対応する欄干６に当接させて押圧固定することが行なわれる。
【００２９】
この状態で、ステップ３を下方に向けて運転させると、板体１４の溝形状部１０がステップ３のライザ面２に接触し、このライザ面２の溝部と係合し、ライザ面２の溝部に溜まったゴミ、塵埃等が板体１４の溝形状部１０によって除去される。この間、板体１４の溝形状部１０は上方向に押し上げられる傾向となるが、一対の板体１４の側面視が平行四辺形の構造体を形成していることと、一対のポール２６に係止される一対の板体１４の部分がこれらの一対の板体１４の浮き上がり規制部を構成していることとから、一対の板体１４の下端部は、ステップ３の走行に伴ってポール２６を中心として回動しながらステップ３の踏面１と平行に移動する。これにより、ステップ３のライザ面２に対する板体１４の接触角を一定に保つことができる。
【００３０】
清掃作業の終了後は、一対のポール２６を収縮させてこれらの一対のポール２６を欄干６から取り外し、さらに一対の板体１４から成る構造体から引き抜いた後、例えば汚損した一対の板体１４を廃棄処分にすることが行なわれる。
【００３１】
このように構成した本発明は、上述のように、一対のポール２６を一対の板体１４から成る構造物から離脱させた状態で、これらの一対の板体１４から成る構造物と、一対のポール２６とを清掃する現地まで運搬することができ、運搬を容易に行なうことができる。また現地では、一対のポール２６を一対の板体１４の貫通部３３に挿入して板体１４を支持させることにより容易に組立てることができる。これにより、運搬時における周囲への汚損を防ぐことができるとともに、組立に要する時間を短くすることができ、エスカレータの不稼動時間が限られている場合でも、確実にステップ３のライザ面２を清掃することができる。また、一対の板体１４の側面視を平行四辺形に形成してあることと、ライザ面２の清掃時の一対の板体１４の浮き上がりを規制する浮き上がり規制部とを備えていることから、上述したようにライザ面２に対する板体１４の溝形状部１０の接触角を一定に保つことができ、優れた清掃性能を確保できる。これにより、ステップ３のライザ面２の美観維持を容易に実現させることができる。
【００３２】
また、本実施形態は、一対の板体１４が軽量の段ボール紙から成るので、一対の板体１４を支持するポール２６の負荷を軽減でき、一対のポール２６のそれぞれをエスカレータの機種の違いに拘わらず、欄干６に確実に固定することができる。これによりエスカレータの機種の違いに影響を受けることなく、安定した清掃性能を確保することができる。
【００３３】
また、本実施形態は、上述のように清掃作業の終了後には、汚損した一対の板体１４から成る構造体を廃棄処分にすることが行なわれる。これによって清掃作業の終了後の当該清掃装置の清掃を不要とすることができ、清掃作業時間の短縮化に貢献する。
【００３４】
なお、上記実施形態では、一対の板体１４と一対のポール２６の組み合わせを１組配置してあるが、ステップ３の幅方向に複数のそれぞれ一対の板体１４から成る構造体を配置してもよく、また、ステップ３の走行方向に沿って複数の一対の板体１４と、一対のポール２６との組み合わせを配置した構成にしてもよい。
【００３５】
図７は、本発明の別の実施形態を示す要部側面図である。この図７に示す別の実施形態は、上述した図３〜５に示す実施形態の構成に加えて、欄干６に当接するように配置され、ポール２６を位置決めする位置決めプレート４０と、この位置決めプレート４０を欄干６に固定する固定手段４４とを備え、位置決めプレート４０は、ステップ３の踏面１に平行に配置されポール２６のそれぞれ端部、すなわち滑り止め２５が挿入されて、これらのポール２６を位置決めする複数の穴４１を有する構成にしてある。位置決めプレート４０の一方の端部の下方部分は、内デッキ５の傾斜に相応させた切り欠きを形成してある。このように構成した別の実施形態によれば、ポール２６の位置決めを簡単に行なうことができ、清掃作業の能率向上に貢献する。
【００３６】
図８は、本発明のさらに別の実施形態を示す板体の要部平面図である。この別の実施形態は、上述した図３〜５に示す実施形態の構成において、一対の板体１４のそれぞれの板体の形状を一部互いに異ならせたものである。すなわち図３において、清掃されるステップ３のライザ面２から離れる側に位置する板体１４の上端部に、上述した溝形状部１０とは異なる形状の溝形状部、すなわち別の機種に備えられるステップ３のライザ面２に対応する溝形状部１０ｂを設けた構成にしてある。このように構成したものでは、別の機種に備えられるステップ３のライザ面２の清掃に際しては、例えば、上端部側の折れ曲がり部１３を平坦な部分とし、下端部側の折れ曲がり部１３を適宜押圧してロの字状の部分を形成した状態で、上下を反転させ、この一対の板体１４から成る構造物にポール２６を装着させて、該当するステップ３のライザ面２に溝形状部１０ａを対向させて、そのライザ面２の清掃を行なえばよい。このように構成したものでは、機種の違いに対応可能な汎用性に優れた清掃装置とすることができる。
【符号の説明】
【００３７】
１    踏面
２    ライザ面
３    ステップ
４    スカートガード
５    内デッキ
６    欄干
１０    溝形状部
１０ｂ  溝形状部
１１    折れ曲がり部
１２    切り込み部
１３    折れ曲がり部
１４    板体
２０    筒体
２１    閉塞部材
２２    コイルばね
２３    筒体
２４    突起
２５    滑り止め
２６    ポール
３２    接着手段
３３    貫通部
４０    位置決めプレート
４１    穴
４４    固定手段
【図１】
2011088726.tif 000003
【図２】
2011088726.tif 000004
【図３】
2011088726.tif 000005
【図４】
2011088726.tif 000006
【図５】
2011088726.tif 000007
【図６】
2011088726.tif 000008
【図７】
2011088726.tif 000009
【図８】
2011088726.tif 000010